(57)【要約】【課題】レコードプレーヤの回転数をリニアに且つ広範囲に変更するには、従来の抵抗式フェーダボリュームではその仕様上大きな変化率と高い分解能を兼ね備えるのが難しい。【解決手段】ターンテーブルの回転数を変更する為の操作体として、ターンテーブルの内部にフォトインタラプタよりなるエンコーダを仕込んだ。このエンコーダはターンテーブルと同軸形状に作られると共にターンテーブルと非接触である。これにより、ターンテーブルの回転速度を広範囲且つ微細に調整可能な操作体を、レコードプレーヤの構成を大幅に変更することなく、また専用のスペースを設けることなく、実現できる。【選択図】図1
2005085345.tif 000002
【特許請求の範囲】
【請求項１】
(a) スピンドルモータと、
(b) 前記スピンドルモータの軸にて軸支され、レコードを置いて回転駆動されるターンテーブルと、
(c) 前記スピンドルモータと同軸形状にて形成され、前記ターンテーブルの外周側に露呈し、前記ターンテーブルとは非接触にて回転可能な操作体と、
(d) 前記操作体に設けられており、前記操作体と共に回転可能なエンコーダディスクと、
(e) 前記エンコーダディスクと非接触に近接配置されるフォトインタラプタと、
(f) 前記フォトインタラプタから出力される回転パルス信号及び回転方向信号を受けて、前記スピンドルモータの回転速度を制御する回転速度制御回路と
を備えることを特徴とするレコードプレーヤ。
【請求項２】
(a) スピンドルモータと、
(b) 前記スピンドルモータの軸にて軸支され、レコードを置いて回転駆動されるターンテーブルと、
(c) 前記スピンドルモータと同軸形状にて形成され、前記ターンテーブルの外周側に露呈し、前記ターンテーブルとは非接触にて回転可能な操作体と、
(d) 前記操作体に設けられており、前記操作体と共に回転可能なフォトインタラプタと、
(e) 前記フォトインタラプタと非接触にて近接配置されるエンコーダディスクと、
(f) 前記フォトインタラプタから出力される回転パルス信号及び回転方向信号を受けて、前記スピンドルモータの回転速度を制御する回転速度制御回路と
を備えることを特徴とするレコードプレーヤ。
【発明の詳細な説明】
【技術分野】
【０００１】
本発明はレコードプレーヤに関する。
より詳しくは、いわゆるDJ演奏に用いられるレコードプレーヤのターンテーブルの回転速度を、リニアに、且つきめ細かな精度で調整可能なレコードプレーヤに関する。
【背景技術】
【０００２】
アナログレコードをオーディオ再生用途としてよりも、あたかもパーカッション等の楽器の如く手で回してリズミカルに再生させる、いわゆるスクラッチ演奏は周知である。この用途に用いられるレコードプレーヤでは、ある楽曲の再生から次の楽曲の再生に移る際に、次に再生する楽曲を直前の楽曲と同じリズムでタイミング良く再生させる為に、ターンテーブルの回転速度を調整する機能が求められている。下記の特許文献1には、スピンドルモータの回転速度制御に用いられるPLLの中心周波数をフェーダボリュームにて変化させ、操作者(演奏者)が望む回転速度に調整する構成が開示されている。
【特許文献１】特許3364824号公報
【発明の開示】
【発明が解決しようとする課題】
【０００３】
DJ演奏の際に、様々なテンポの楽曲に所望の楽曲のテンポを合わせ込む為に、ターンテーブルには広い範囲で速度を変化できる機能が求められる。更に、任意の楽曲同士のテンポを正確に合わせ込む為に、分解能の高い速度調節機能が求められる。従来のターンテーブルにおいて、これら機能を充たすには、ストロークの短いフェーダボリュームでは間に合わない。そこで、2つのフェーダを設けて、片方は広い範囲、片方は微小な範囲で調整する構成になっていた。しかしながら、この操作は操作者にとって煩雑であると共に、操作性が良くない。
【０００４】
本発明はかかる課題を解決し、単一の操作体でレコードプレーヤのターンテーブルに対する速度制御を広範囲且つ高分解能にて実現する、DJ演奏に適したレコードプレーヤを提供することを目的とする。
【課題を解決するための手段】
【０００５】
上記課題を解決するために、本発明によるレコードプレーヤは、請求項1より明らかな如く、
(a) スピンドルモータと、
(b) 前記スピンドルモータの軸にて軸支され、レコードを置いて回転駆動されるターンテーブルと、
(c) 前記スピンドルモータと同軸形状にて形成され、前記ターンテーブルの外周側に露呈し、前記ターンテーブルとは非接触にて回転可能な操作体と、
(d) 前記操作体に設けられており、前記操作体と共に回転可能なエンコーダディスクと、
(e) 前記エンコーダディスクと非接触に近接配置されるフォトインタラプタと、
(f) 前記フォトインタラプタから出力される回転パルス信号及び回転方向信号を受けて、前記スピンドルモータの回転速度を制御する回転速度制御回路と
を備えることを特徴とするものである。
なお、請求項2のようにフォトインタラプタが操作体と共に回転可能に配置され、エンコーダディスクは固定配置されているものであっても良い。
【発明の効果】
【０００６】
本発明により、ターンテーブルの回転速度を広範囲且つ微細に調整可能な操作体を、レコードプレーヤの構成を大幅に変更することなく、また専用のスペースを設けることなく、実現できる。
【発明を実施するための最良の形態】
【０００７】
従来のフェーダボリュームはその仕様上大きな変化率と高い分解能を兼ね備えるのが難しい。周知のように、従来のフェーダボリュームは抵抗体でできており、フェーダボリュームからフェーダ位置情報を取得するには、直流電圧をかけ、フェーダの位置をアナログの電圧値として得ることとなり、精緻で高い分解能の確保が難しい。本発明では、従来のフェーダボリュームの代わりに、フォトインタラプタよりなるエンコーダを採用する。エンコーダであれば、操作体のストローク長が長ければ長い程分解能を高くできると共に調整範囲を必要に応じて大きく取ることもできるので、設計の自由度が増す。そして、本発明では部品実装上の制約のあるターンテーブルに長いストロークを持つエンコーダを設ける方法として、ターンテーブルの内部にフォトインタラプタよりなるエンコーダを仕込んだ。このエンコーダはターンテーブルと同軸形状に作られると共にターンテーブルと非接触である。以上のような構成をターンテーブル内に設けることにより、レコードプレーヤの構成を大幅に変更することなく、また専用のスペースを設けることなく、大きなストロークを持つ操作体を実現できる。また、ストロークが大きいと共に、微細な調整も容易にできる。
本発明の上記および他の長所は、添付図面を参照して述べる本発明の好ましい実施形態の説明から明らかになるであろう。
【実施例１】
【０００８】
[装置の構成]
以下、図面を参照して本発明の実施例を詳細に説明する。
図1は本発明の一実施例であるレコードプレーヤ1の斜視図である。
レコードプレーヤ1のボディ2には、トーンアーム3とターンテーブル5が組み付けられている。トーンアーム3の先端にはヘッドシェル4が着脱可能に設けられている。更にボディ2には回転速度変更スイッチ7、リバーススイッチ8、電源スイッチ9、スタート/ストップスイッチ10、リセットスイッチ11、ホールドスイッチ12、倍率スイッチ13が設けられている。回転速度変更スイッチ7はターンテーブル5の回転速度を周知の毎分33+1/3回転と毎分45回転とのいずれかに切り替えるスイッチである。リバーススイッチ8はターンテーブル5の回転方向を正方向と逆方向にて切り替えるスイッチである。電源スイッチ9はレコードプレーヤ1の、主にターンテーブル5直下に設けられているスピンドルモータの電源をオン/オフするスイッチである。スタート/ストップスイッチ10はスピンドルモータに電源が投入されている状態で、スピンドルモータの起動と停止を制御するスイッチである。リセットスイッチ11は、後述する本発明によるピッチ変更設定をリセットし、標準速度に戻す押しボタンスイッチである。ホールドスイッチ12は、後述する本発明によるピッチ変更設定を保持する押しボタンスイッチである。倍率スイッチ13は、後述する本発明によるピッチ変更設定の変化率を増減する、シーソー式の押しボタンスイッチである。
【０００９】
図2はレコードプレーヤ1の一部分を拡大した上面図である。
ターンテーブル5の外周とボディ2との間には図2に示すように隙間があり、この隙間に操作ノブ6が回転可能に設けられている。
【００１０】
図3(a)はレコードプレーヤ1のターンテーブル5付近の上面図であり、図3(b)は(a)の一部断面図である。
スピンドルモータ22はボディ2にネジで固着されている。ターンテーブル5はスピンドルモータ22に固着されて、回転駆動される。ターンテーブル5は例えばアルミダイキャスト製であり、操作者が手で回すことやモータ起動から定速回転に至る迄の過渡時間を短くする為に、純粋なオーディオ用途のレコードプレーヤと比べると肉厚は薄くなっている。本発明にかかるエンコーダはこのターンテーブル5とボディ2との間に存在する空間を利用している。ボディ2とターンテーブル5との間にある空間には、円盤状のシャシ16が外周と内周のそれぞれにネジで固着されている。シャシ16の内側のネジにはガイドピン17が3本設けられている。ガイドピン17にはレバー14が回転可能に噛み合っている。すなわち、レバー14の穴をガイドピン17が3点支持して、3本のガイドピン17の中点を中心に回転する恰好となる。レバー14の先端部分には操作ノブ6が設けられている。操作ノブ6はシャシ16の外周をベアリング18を介して挟み込む構成になっている。以上より、操作ノブ6をターンテーブル5の周方向に動かすと、シャシ16の外周部分をレールとして、ターンテーブル5の軸とは接触していないものの、軸と実質的に同じ中心点にて周方向に滑らかに回動可能になっている。なお、ボディ2の操作ノブ6が入り込む溝には、操作範囲を規制するストッパ50a,50bが設けられており、操作ノブ6はストッパ50a,50bを越えては移動できないようになっている。
【００１１】
ボディ2の一部には凹部19が設けられている。シャシ16の、凹部19に対応する箇所には開口部20が設けられている。開口部20の一辺にはフォトインタラプタ15がネジどめされている。フォトインタラプタ15のスリットにはレバー14と連動して回転するエンコーダディスク23がはさまっている。エンコーダディスク23は周知のPET樹脂よりなる透明な板で、外周にはフォトインタラプタ15がパルス出力を発生する為の黒い縞が印刷されている。
【００１２】
フォトインタラプタ15は発光部と受光部よりなる。受光部は二つあり、二つの受光部が僅かにずれて配置されている。縞模様状のスリットを発光部と受光部の間に配置し、スリットを移動させると、発光部から発せられる光がスリットにて遮蔽され、受光部からパルス状の出力信号が得られる。二つの受光部のずれを位相ずれとしてスリットの移動方向を得る事ができる。以上に記すようにフォトインタラプタ15は周知の構成である。すなわち、フォトインタラプタ15の発光部と受光部との間のスリットにエンコーダディスク23が概ね非接触にてはさまっていて、エンコーダディスク23が回転することにより、エンコーダディスク23に印刷されている縞模様がフォトインタラプタ15の発光部から発せられる光を遮り、フォトインタラプタ15の受光部からはパルス出力が得られる。
【００１３】
図4はレコードプレーヤ1の制御回路の概略的な構成図である。
マイコン30には、ターンテーブル5の回転速度制御入力信号として、回転速度変更スイッチ7、リバーススイッチ8、スタート/ストップスイッチ10、リセットスイッチ11、倍率スイッチ13、エンコーダ回路32が接続されている。エンコーダ回路32にはフォトインタラプタ15が接続されている。更にマイコン30には、ターンテーブル5の回転速度制御出力信号として、周波数シンセサイザ31が接続されている。周波数シンセサイザ31は周知のPLL周波数シンセサイザである。周波数シンセサイザ31の出力端子には、周波数位相比較器27の入力端子が接続されている。周波数位相比較器27のもう一つの入力端子にはスピンドルモータ22の回転検出パルスが入力される。このパルスは、スピンドルモータ22の軸と共に回転するスリット円板24と、フォトインタラプタ25と、これに接続されるエンコーダ回路26よりなるロータリエンコーダの出力パルスである。周波数位相比較器27の出力信号はLPF28で高周波成分を除去された後、モータドライバ29に入力され、スピンドルモータ22の回転数を制御する。また、モータドライバ29には回転始動/停止と回転方向を指令する制御信号がマイコン30から出力される。
【００１４】
マイコン30は回転速度変更スイッチ7の操作によってスピンドルモータ22の回転数を決定する。マイコン30はリバーススイッチ8の操作によってスピンドルモータ22の回転方向を決定する。マイコン30はスタート/ストップスイッチ10によってスピンドルモータ22の回転始動/停止を制御する。マイコン30はエンコーダ回路32から得られる回転パルス信号及び回転方向信号によってスピンドルモータ22の回転数を増減する。但し、エンコーダ回路32から得られる回転パルス信号は、ホールドスイッチ12を操作することによって接地され、これによりスピンドルモータ22の回転数増減制御が一時的に禁止される。マイコン30はリセットスイッチ11によってエンコーダ回路32によって変更されたスピンドルモータ22の回転数を初期状態の回転数に戻す。マイコン30は倍率スイッチ13によってエンコーダ回路32の出力信号によるスピンドルモータ22の回転数増減制御の倍率を変更する。マイコン30は以上に述べたスイッチ群及びエンコーダの制御入力を受けて、周波数シンセサイザ31に所望の周波数を設定する制御信号を出力する。
【００１５】
図5はマイコン30内部の機能の一部を仮想的に示すブロック図である。
ROM40にはスピンドルモータ22の回転数を決定する周波数データが二つ格納されており、これに選択スイッチ41が接続されている。回転速度変更スイッチ7は選択スイッチ41を制御し、二つの周波数データのいずれかを選択する。選択スイッチ41の出力側は図示しないRAM上にソフトウェアで構成されているカウンタ42に接続されている。リセットスイッチ11はカウンタ42に接続されており、オン操作することでROM40の周波数データを読み込む。カウンタ42にはエンコーダ回路32からの回転パルス信号と回転方向信号が入力される。エンコーダ回路32の回転パルス信号端子とカウンタ42との間には乗算器43が接続されており、回転パルス信号1パルス毎に設定された値で整数倍する。倍率制御は倍率スイッチ13の制御信号によって制御される。カウンタ42の値は周波数シンセサイザ31の設定周波数となる。
【００１６】
[動作]
以下に動作を説明する。
電源スイッチ9によって電源がレコードプレーヤ1に投入された後、マイコン30は回転速度変更スイッチ7の状態を検出する。次に、マイコン30は、ROM40に格納されている、回転速度変更スイッチ7のオン/オフ状態に対応する回転速度データを読み込み、カウンタ42に初期値としてロードさせる(代入する)。カウンタはRAM上の特定のアドレスにある領域であり、プログラムにおける変数である。次に、ソフトウェアカウンタの値を周波数シンセサイザ31に設定した後、待機状態になる。周波数シンセサイザ31はマイコン30から入力される回転速度データに基づき、所定の周波数で発振する。スタート/ストップスイッチ10を操作すると、マイコン30はこれに応じてモータドライバ29を起動させて、スピンドルモータ22を回転駆動させる。スピンドルモータ22の回転速度は、周波数位相比較器27の比較出力により、所定の回転数迄達した後、回転数が保持される。この状態でレバー14を操作すると、エンコーダディスク23が連動して回転し、フォトインタラプタ25を通じてエンコーダ回路32から回転パルス信号と回転方向信号が出力される。マイコン30はこれを受けて、カウンタ42の値を変更し、現在の回転速度データを増減する。こうして得られる新たな回転速度データが改めて周波数シンセサイザ31へ出力される。すなわち、レバー14を操作すると、マイコン30を通じて周波数シンセサイザ31の発振周波数が変化する。これにより、スピンドルモータ22の回転数が変化する。
【００１７】
レバー14の操作でスピンドルモータ22の回転数が変化した状態でリセットスイッチ11を押すと、カウンタ42はROM40から回転速度データを再度読み込む。結果としてスピンドルモータ22はレバー14が操作される以前の、標準の回転速度に戻される。リセットスイッチ11は主にレバー14の初期位置の設定に使われる。すなわち、レバー14を操作範囲の中心に移動させてからリセットスイッチ11をオン操作して、レバー14の操作中点を決定する。
【００１８】
ホールドスイッチ12はエンコーダ回路32のパルス出力信号線を接地させるスイッチである。このスイッチを押すことによって、レバー14を操作してもマイコン30にエンコーダ回路32からのパルスが入力されないので、スピンドルモータ22の回転数は変化しない。ホールドスイッチ12は主に目標とする回転速度がレバー14の操作範囲から少し外れている時に、レバー14を目標回転速度まで持って行く為に使う。すなわち、ホールドスイッチ12を押したままレバー14を現在の操作地点から反対方向に操作することで、目標の回転速度をレバー14の操作可能な範囲に捉えることができる。すなわち、レバー14の操作可能範囲というウィンドウをずらして行くこととなる。
【００１９】
倍率スイッチ13は、マイコン30内部の乗算器43の乗算係数を加減する。倍率が1から2に増やされれば、エンコーダ回路32のパルスが2倍になってカウンタ42に与えられる。すなわち、レバー14の操作角に対する回転速度の変化率が大きくなる。
【００２０】
操作者(演奏者)は、レコードプレーヤ1のターンテーブル5に所望のレコードを置いて、スタート/ストップスイッチ10をオン操作した後、トーンアーム3を操作してヘッドシェル4の先端の針をレコードの溝に置き、レコードを再生する。再生信号はヘッドシェル4から発生し、図示しないアンプを介して、ヘッドホン等で聴ける。操作者はこの再生音をモニタしながら、現在再生されている別の楽曲のテンポと合わせ込むべく、上記スイッチ群やレバー14を操作する。
以上のように、操作者は必要に応じて以上に述べたスイッチを操作しながらレバー14を操作することで、これから再生しようとする楽曲のテンポを目的とする現在再生されている楽曲のテンポへ迅速に合わせ込むことができる。
【００２１】
[応用例]
本発明は上述の実施例に留まらず、種々の応用が可能である。以下に一例を列挙する。
(1) 曲毎にピッチ変更を設定した状態で、ピッチ変更データをメモリに記憶し、バッテリバックアップさせ、必要に応じて呼び出す仕組みを設けることにより、瞬時に呼び出すことができる。
(2) ピッチ変更の状態をより分かり易くする為に、カウンタ42の内容及び乗算器43の内容を液晶ディスプレイ等にて表示することができる。
(3) 上記実施例ではフォトインタラプタ25をシャシ16上に固定配置していたが、逆にレバー14上に移動可能に配置し、エンコーダディスク23を固定配置する構成であっても構わない。すなわち、フォトインタラプタ25とエンコーダディスク23との相対的な移動が検出できる構成であれば、どのような形態であっても構わない。
(4) 上記実施例では、操作ノブ6はシャシ16の外周部分をレールとして滑らかに回動可能に作られているが、シャシ16に僅かな凹凸を刻み込むことによって、操作ノブ6の移動に「クリック感」を持たせると共に、操作ノブ6の静止状態をより安定化させることができる。同様に、操作ノブ6の操作範囲の中心に相当する箇所に比較的大きめの凹凸を設けることにより、中点を表す「センタークリックポイント」を設けることもできる。
(5) 上記実施例では、フォトインタラプタ15とエンコーダディスク23よりなるエンコーダは相対位置情報しか出力できないが、例えばフォトインタラプタ15のセンサを多く設け、エンコーダディスク23に周知のM系列疑似ランダムパルスに相当する情報の縞模様を刻み込むことにより、絶対位置情報を取得可能にすることもできる。
(6) 上記実施例では、マイコン30の制御出力がターンテーブル5の回転数制御に用いられていたが、この制御出力信号をDJ演奏対応CDプレーヤ等に応用することにより、ディジタル機器の再生速度制御の為の操作体として流用することもできる。
(7) 上記実施例では、ボディ2の溝にストッパが設けられている為に、操作ノブ6の操作範囲が規制されていた。このストッパを排除し、操作ノブ6を180°方向に二つ設けることにより、操作ノブ6とこれに伴って回転駆動されるエンコーダディスク23の操作範囲を無限とすることもできる。
【図面の簡単な説明】
【００２２】
【図１】レコードプレーヤの斜視図である。(実施例1)
【図２】レコードプレーヤの上面一部拡大図である。(実施例1)
【図３】ターンテーブルの上面図及び一部断面図である。(実施例1)
【図４】ターンテーブルの制御機能を示すブロック図である。(実施例1)
【図５】マイコンの機能を示す仮想ブロック図である。(実施例1)
【符号の説明】
【００２３】
1 レコードプレーヤ
2 ボディ
3 トーンアーム
4 ヘッドシェル
5 ターンテーブル
6 操作ノブ
7 回転速度変更スイッチ
8 リバーススイッチ
9 電源スイッチ
10 スタート/ストップスイッチ
11 リセットスイッチ
12 ホールドスイッチ
13 倍率スイッチ
14 レバー
15 フォトインタラプタ
16 シャシ
17 ガイドピン
18 ベアリング
19 凹部
20 開口部
22 スピンドルモータ
23 エンコーダディスク
24 スリット円板
25 フォトインタラプタ
26 エンコーダ回路
27 周波数位相比較器
28 LPF
29 モータドライバ
30 マイコン
31 周波数シンセサイザ
32 エンコーダ回路
40 ROM
41 選択スイッチ
42 カウンタ
43 乗算器
50a,50b ストッパ
【図１】
2005085345.tif 000003
【図２】
2005085345.tif 000004
【図３】
2005085345.tif 000005
【図４】
2005085345.tif 000006
【図５】
2005085345.tif 000007